(57)【要約】【課題】  開示する画鋲は、外部から針を覆い安全性を高めると共に、板・壁面などに留める物品のデザイン性を害することなく、板・壁面などへの押し込みの程度が小さくとも当該物品に対する押さえ効果が高い。【解決手段】  開示する画鋲の一形態は、針部、該針部を押し込んだり引き抜いたりする際に使用する摘み部を有する画鋲であって、前記針部を囲み、かつ、該針部を押し込んだり引き抜いたりする方向に伸縮するように配置されるバネ部と、前記針部の根元方向に縮んだ前記バネ部を内側に収納するバネ収納部と、を有し、前記バネ部が、前記針部の先端方向に広がっているラッパ形であると共に、縮んだ胴体どうしが接触しない渦巻構造であり、前記バネ部の先端の直径が、前記バネ収納部の直径より小さいことを特徴とする。【選択図】図１
2014043057.tif 000002
【特許請求の範囲】
【請求項１】
針部、該針部を押し込んだり引き抜いたりする際に使用する摘み部を有する画鋲であって、
前記針部を囲み、かつ、該針部を押し込んだり引き抜いたりする方向に伸縮するように配置されるバネ部と、
前記針部の根元方向に縮んだ前記バネ部を内側に収納するバネ収納部と、を有し、
前記バネ部が、前記針部の先端方向に広がっているラッパ形であると共に、縮んだ胴体どうしが接触しない渦巻構造であり、
前記バネ部の先端の直径が、前記バネ収納部の直径より小さいことを特徴とする画鋲。
【請求項２】
前記針部の根元が、前記摘み部の内部で固定されており、
前記針部の長さの少なくとも１／３が、前記摘み部の内部に埋設されていることを特徴とする請求項１に記載の画鋲。
【請求項３】
前記針部の先端の反対側に位置する前記摘み部の端部の形状が丸形であることを特徴とする請求項１又は２に記載の画鋲。
【発明の詳細な説明】
【技術分野】
【０００１】
画鋲の技術に関する。
【背景技術】
【０００２】
画鋲は、図画・ポスターなどを板や壁面に留めるための鋲であり、その機能上、針を備えている。そのため、針で怪我をしないように、その取り扱いに注意をしなければならない。
【０００３】
そこで従来、画鋲が備える針による怪我を避けるために様々な提案がされている。例えば、特許文献１では、押し込み時に周囲へ広がるスカート状のカバーで針部を覆った画鋲が提案されている。また、特許文献２では、押し込み時に潰れて横方向へ広がるループ状のカバーで針部を覆った画鋲が提案されている。
【先行技術文献】
【特許文献】
【０００４】
【特許文献１】実開昭６４−４６２９５号
【特許文献２】特開２００４−１５８０号
【発明の概要】
【発明が解決しようとする課題】
【０００５】
しかしながら、特許文献１及び２に記載の技術では、画鋲の押し込みを行うと、カバーが四方に又は横へ広がるため、板や壁面に留める図画・ポスターに対し画鋲の占める範囲が大きくなり、図画・ポスターのデザイン性が大きく低下するという問題点がある。
【０００６】
また、特許文献１及び２に記載の技術では、図画・ポスターを板や壁面に留める場合、画鋲を奥へ押し込めば押し込むほど、カバーが広がることによって図画・ポスターの押さえ効果が大きくなる一方、上記のようにデザイン性は低下することから、被固定物の押さえ効果とデザイン性とがトレードオフの関係にあるという問題点もある。
【０００７】
そこで本発明では、上記問題点に鑑み、外部から針を覆い安全性を高めると共に、板・壁面などに留める物品のデザイン性を害することなく、板・壁面などへの押し込みの程度が小さくとも当該物品に対する押さえ効果の高い画鋲を提供することを目的とする。
【課題を解決するための手段】
【０００８】
開示する画鋲の一形態は、針部、該針部を押し込んだり引き抜いたりする際に使用する摘み部を有する画鋲であって、前記針部を囲み、かつ、該針部を押し込んだり引き抜いたりする方向に伸縮するように配置されるバネ部と、前記針部の根元方向に縮んだ前記バネ部を内側に収納するバネ収納部と、を有し、前記バネ部が、前記針部の先端方向に広がっているラッパ形であると共に、縮んだ胴体どうしが接触しない渦巻構造であり、前記バネ部の先端の直径が、前記バネ収納部の直径より小さいことを特徴とする。
【０００９】
また、開示する画鋲の一形態は、上記構成に加え、前記針部の根元が、前記摘み部の内部に固定されており、前記針部の長さの少なくとも１／３が、前記摘み部の内部に埋設されていることを特徴とする。
【００１０】
また、開示する画鋲の一形態は、上記構成に加え、前記針部の先端の反対側に位置する前記摘み部の端部の形状が丸形であり、前記針部の先端を上に向け、単独で立った状態とならないことを特徴とする。
【発明の効果】
【００１１】
開示する画鋲は、外部から針を覆い安全性を高めると共に、板・壁面などに留める物品のデザイン性を害することなく、板・壁面などへの押し込みの程度が小さくとも当該物品に対する押さえ効果が高い。
【図面の簡単な説明】
【００１２】
【図１】本実施の形態に係る画鋲の側面図である。
【図２】本実施の形態に係る画鋲の平面図である。
【図３】本実施の形態に係る画鋲の斜視図である。
【図４】本実施の形態に係る画鋲の断面図である。
【図５】本実施の形態に係る画鋲の使用状態図（針を途中まで刺した状態）である。
【図６】本実施の形態に係る画鋲の使用状態図（針を奥まで刺した状態）である。
【発明を実施するための形態】
【００１３】
図面を参照しながら、本発明を実施するための形態について説明する。
（本実施の形態に係る画鋲の構造）
図１乃至４を用いて、本実施の形態に係る画鋲１００の構造について説明する。図１乃至４はそれぞれ、画鋲１００の側面図、平面図、斜視図、断面図である。
【００１４】
図１乃至４で示すように、画鋲１００は、針部１１０、掴み部１４０、バネ部１５０、バネ収納部１８０を有する。掴み部１４０、バネ収納部１８０は、一体となっており、針部１１０は、掴み部１４０の内部で固定されている。また、バネ部１５０の根元１７０が針部１１０の中央付近に巻き付けられ、バネ部１５０は、針部１１０に固定されている。
【００１５】
針部１１０は、画鋲１００を板や壁などの固定物１９０に刺し込むための部材であり、先端１２０が尖っており、根元１３０が掴み部１４０内で固定されている。針部１１０は、その長さの１／３以上が掴み部１４０内に埋設される形態が好適である。こうすることによって、画鋲１００を固定物１９０から引き抜く際、針部１１０が摘み部１４０から分離され（抜け）、固定物１９０に剥き出しの針部１１０が留まる状態を起こり難くする。
【００１６】
摘み部１４０は、図画・ポスターなどの被固定物２００を固定する固定物１９０に画鋲１００を刺し込んだり引き抜いたりするときに、指で押したり掴んだりする部位である。掴み部１４０の形状は、指で押したり掴んだりするために適した形状であれば、特段の限定はされない。
【００１７】
また、摘み部１４０は、その端部の形状、つまり、針部１１０の先端１２０と反対側に位置する部位の形状が丸い形状をしている。そのため、画鋲１００は、針部１１０の先端１２０を上にして、床など水平面に単独で立った状態を維持することができない。こうすることによって、放置された画鋲１００（針部１１０の先端１２０）による怪我を防止することができる。
【００１８】
バネ部１５０は、針部１１０を覆うように（囲むように）配置されるバネ部材であり、画鋲１００を刺し込んだり引き抜いたりする方向へ伸び縮みするように、針部１１０の中央付近に根元１７０を巻き付けて固定される。つまり、バネ部１５０は、針部１１０が固定物１９０へ刺し込まれるに連れて縮み、逆に針部１１０を固定物１９０から引き抜くと伸びる構成となっている。バネ部１５０により針部１１０が覆われるため、針部１１０による怪我の危険性は低く、安全性が高い。
【００１９】
バネ部１５０は、針部１１０の先端１２０の方向に広がったラッパ形の形状をしている。また、バネ部１５０は、縮んだ場合にも、その胴体部分が互いに重ならないような渦巻構造となっている。画鋲１００が奥まで刺し込まれ、バネ部１５０が最も縮んだ状態において、バネ部１５０の厚さは、バネ部１５０の胴体部分を構成する１本の針金の厚さと略同等になる。こうすることによって、画鋲１００を固定物１９０に刺し込んだ場合でも、バネ部１５０の胴体どうしが嵩張らず、バネ部１５０の収納が容易となる。
【００２０】
バネ収納部１８０は、画鋲１００（針部１１０）が奥まで押し込まれることによって縮んだバネ部１５０を内部に収納し、外部から収縮したバネ部１５０を目隠しする部位である。このため、バネ部１５０の先端１６０（ラッパ形に広がった方）の直径は、バネ収納部１８０の直径よりも小さい。こうすることによって、画鋲１００が奥まで押し込まれた状態において、通常の画鋲と外見上の違いが無く、デザイン上の違和感が無い。
（本実施の形態に係る画鋲の使用方法）
【００２１】
図４及び５を用いて、本実施の形態に係る画鋲１００の使用方法について説明する。図４は、固定物１９０に画鋲１００を途中まで刺した状態を示す図であり、図５は、固定物１９０に画鋲１００を奥まで刺した状態を示す図である。
【００２２】
図４で示すように、画鋲１００の使用者２１０は、固定物１９０の上に被固定物２００を配置し、被固定物２００の上から針部１１０の先端１２０を固定物１９０に向かって刺し込む。
【００２３】
そうすると、針部１１０の固定物１９０への刺し込み度合いに応じて、被固定物２００を固定物１９０側に押さえる方向の弾性力をバネ部１５０が発生させるため、被固定物２００は浮き上がることなく固定物１９０上に固定される。画鋲１００は、固定物１９０が固く、針部１１０を固定物１９０の奥まで刺し込めない場合であっても、被固定物２００を固定物１９０から浮き上がらせることなく固定することができる。
【００２４】
また、バネ部１５０の先端１６０がラッパ形に広がった形状をしており、他形状と比較して、被固定物２００を固定物１９０側に押さえ付ける面積が大きいため、被固定物２００は、浮き上がることなく固定物１９０上に安定的に固定される。特に、被固定物２００が破れ易い材質の場合、被固定物２００を固定物１９０側に押さえ付ける面積が大きいほど、被固定物２００を押さえ付ける力が分散される（単位面積当たりの押さえ付ける力が小さくなる）ため、被固定物２００が破れ難く、有効である。
使用者２１０は、図４で示す状態から更に固定物１９０側へ針部１１０を押し込み、図５で示す状態とすることができる。
【００２５】
そうすると、バネ部１５０は、バネの胴体どうしが接触することなく縮んで、その厚みはバネを構成する一本の針金の太さと略同じとなり、バネ収納部１８０の中に収納される。その結果、画鋲１００の外観は、一般的な画鋲と同じようになる。
【００２６】
また、バネ部１５０の先端１６０及びバネ収納部１８０が、固定物１９０側へ被固定物２００を押さえ付ける状態となるため、被固定物２００は、浮き上がることなく固定物１９０上に安定的に固定される。
【００２７】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２８】
１００  画鋲
１１０  針部
１２０  針部の先端
１３０  針部の根元
１４０  摘み部
１５０  バネ部
１６０  バネ部の先端
１７０  バネ部の根元
１８０  バネ収納部
１９０  固定物（板や壁など）
２００  被固定物（掲示物：図画、ポスターなど）
２１０  使用者
【図１】
2014043057.tif 000003
【図２】
2014043057.tif 000004
【図３】
2014043057.tif 000005
【図４】
2014043057.tif 000006
【図５】
2014043057.tif 000007
【図６】
2014043057.tif 000008